(57)【要約】【課題】過電流耐量性能および消弧性能の向上を図りながら小型化を図ることができる接点機構を提供する。【解決手段】一対の固定接触子１３，１４は、側面から見てＣ字形状を有する部材である。一対のアーク消弧用永久磁石４０、４１の中心を結ぶ線を永久磁石中心線ＭＬとし、可動接触子１５の一対の可動接点１５ａ，１５ｂを結ぶ線を可動接触子中心線ＫＬ１とすると、可動接触子は、可動接触子中心線が永久磁石中心線に対して交差するように配置され、一対の固定接触子が可動接触子中心線に沿って配置されている。そして、一対のアーク消弧用永久磁石の互いに対向する着磁面は、アークが永久磁石中心線を超えて引き延ばされる方向となる磁極に着磁されている。【選択図】図４
2020047389.tif 000002
【特許請求の範囲】
【請求項１】
接点収納ケース内に、固定接点を有する一対の固定接触子と、前記一対の固定接触子の前記固定接点に接離可能な一対の可動接点を長手方向の両端側に設けた可動接触子と、前記接点収納ケースの外側に配置され、前記一対の固定接触子の前記固定接点及び前記可動接触子の前記一対の可動接点の間に発生したアークを引き延ばす一対のアーク消弧用永久磁石と、を備えた接点機構において、
前記一対の固定接触子は、前記可動接触子の長手方向の両端側で表裏面の一方の面に対向して配置され、前記可動接点に接離する前記固定接点を有する第１導電板部と、前記第１導電板部の端部から前記可動接触子の表裏方向に延在する第２導電板部と、前記第２導電板部から前記第１導電板部に対して平行に延在して前記可動接触子の表裏面の他方の面に対向して配置される第３導電板部と、を備えた側面から見てＣ字形状を有し、
前記一対のアーク消弧用永久磁石の中心を結ぶ線を永久磁石中心線とし、前記可動接触子の前記一対の可動接点を結ぶ線を可動接触子中心線とすると、前記可動接触子は、前記可動接触子中心線が前記永久磁石中心線に対して交差するように配置され、前記一対の固定接触子が前記可動接触子中心線に沿って配置されているとともに、
前記一対のアーク消弧用永久磁石の互いに対向する着磁面は、前記アークが前記永久磁石中心線を超えて引き延ばされる方向となる磁極に着磁されていることを特徴とする接点機構。
【請求項２】
前記可動接触子の長手方向の両端部に、前記一対の可動接点をそれぞれ設けた第１可動接点部及び第２可動接点部が形成されており、
前記第１可動接点部及び第２可動接点部の延在方向が、前記一対の固定接触子の互いに平行に配置されている前記第１導電板部及び前記第２導電板部の延在方向に一致していることを特徴とする請求項１記載の接点機構。
【請求項３】
前記一対の固定接触子は、前記第１導電板部および前記第３導電板部の間の開口部が前記永久磁石中心線側を向き、前記第１導電板部および前記第３導電板部が前記永久磁石中心線に対して直交して延在するように配置されていることを特徴とする請求項１又は２に記載の接点機構。
【請求項４】
前記一対の固定接触子に、前記第１導電板部の端部から前記第３導電板部に対して逆方向の前記接点収納ケースの壁部に向うアークランナーが形成されていることを特徴とする請求項１から３の何れか１項に記載の接点機構。
【請求項５】
前記接点収納ケースに、アーク消弧用ガスが封入されていることを特徴とする請求項１から４の何れか１項に記載の接点機構。
【請求項６】
前記接点収納ケースの外部に、前記一対の固定接触子にそれぞれに接続する一対の突出部が設けられ、前記一対の突出部に第１主端子板および第２主端子板が接続されており、
前記第１主端子板および前記第２主端子板には、前記可動接触子が前記一対の固定接触子に接触したときに流れる主電流の方向が等しくなるように互いに平行に配置された対向板部を設け、これら対向板部で前記可動接触子に流れる電流と交差する共通磁界を発生させるようにしたことを特徴とする請求項１から請求項５の何れか１項に記載の接点機構。
【請求項７】
請求項１から請求項６の何れか１項に記載の接点機構と、
前記接点機構の前記可動接触子の前記一対の可動接点を前記一対の固定接触子の前記固定接点に接離させる電磁石ユニットと、を備えたことを特徴とする電磁接触器。
【発明の詳細な説明】
【技術分野】
【０００１】
本発明は、電流路の開閉を行う接点機構及びこれを使用した電磁接触器に関する。
【背景技術】
【０００２】
電流遮断時にアークが発生する電磁接触器に適用する接点機構として、例えば特許文献１に記載されているものが知られている。
特許文献１の接点機構は、固定接点を有する一対の固定接触子と、一対の固定接触子の固定接点に接離可能な一対の可動接点を長手方向の両端側に設けた可動接触子と、前記一対の固定接触子及び前記可動接触子を収納している絶縁材で形成した絶縁ケースと、一対の固定接点及び一対の可動接点の間で発生するアークを引き延ばすアーク消弧用永久磁石と、を備えている。
【０００３】
可動接触子は、直方体形状とした絶縁ケースの短手方向の中央位置において長手方向に延在して配置された電導板であり、この可動接触子の長手方向の両端側には一対の可動接点が設けられている。
一対の固定接触子は、可動接触子の長手方向の両端側の表裏に対向する第１及び第２導電板部と、これら第１及び第２導電板部の端部から可動接触子の表裏方向に延在する第３導電板部と、を備えた側面から見てＣ字形状の導電板である。これら一対の固定接触子は、可動接触子の長手方向の両端側を挟み込むように配置され、可動接触子に対して通電時の電磁反発力に抗するローレンツ力を与えるようにし、過電流耐量性能の向上を図っている。
【０００４】
また、アーク消弧用永久磁石は、絶縁ケースの長手方向の外側に対向配置されて互いの磁極面がＳ極となるように着磁された一対の永久磁石と、絶縁ケースの短手方向の外側に対向配置されて互いの磁極面がＮ極となるように着磁された一対の永久磁石が配置されている。
この接点機構によると、一対の固定接触子間に可動接触子が接触している投入状態から釈放状態とする際に、一対の固定接触子と可動接触子との間にアークが発生すると、互いに対向配置されているアーク消弧用永久磁石のＮ極からＳ極に向かう磁束が共に一対の固定接触子と可動接触子との間のアークが発生した位置に対して可動接触子の長手方向に横切ることになり、アークに対して可動接触子の長手方向と直交する方向のローレンツ力が作用する。これにより、発生したアークは、絶縁ケースの短手方向に設けたアーク消弧空間に向けて引き伸ばされて消弧するようにしている。
【先行技術文献】
【特許文献】
【０００５】
【特許文献１】特開２０１６−２４８６４号公報
【発明の概要】
【発明が解決しようとする課題】
【０００６】
しかし、特許文献１の接点機構は、絶縁ケースの短手方向に設けられているアーク消弧空間が小さな空間であり、発生したアークを十分に引き伸ばすことができないので、消弧性能の面で課題がある。
また、特許文献１の接点機構は、電流の流れ方向を限定せずに無極性に対応した装置であり、絶縁ケースの長手方向及び短手方向に２対のアーク消弧用永久磁石を配置することで、電流の流れ方向が正方向である場合には、アークを絶縁ケースの一方の短手方向に設けたアーク消弧空間に向けて引き伸ばし、電流の流れ方向が逆方向である場合には、アークを絶縁ケースの他方の短手方向に設けたアーク消弧空間に向けて引き伸ばしている。このように、絶縁ケース内部の短手方向には、正逆両方向の電流の流れに対応したアーク消弧空間を設けなければならないので絶縁ケースが大型になる。そのため、小型化の要求に応えられないという課題がある。
【０００７】
そこで、本発明は、上記特許文献１に記載された従来例の問題点に着目してなされたものであり、過電流耐量性能および消弧性能の向上を図りながら小型化を図ることができる接点機構及びこれを使用した電磁接触器を提供することを目的としている。
【課題を解決するための手段】
【０００８】
上記目的を達成するために、本発明の一態様に係る接点機構は、接点収納ケース内に、固定接点を有する一対の固定接触子と、一対の固定接触子の固定接点に接離可能な一対の可動接点を長手方向の両端側に設けた可動接触子と、接点収納ケースの外側に配置され、一対の固定接触子の固定接点及び可動接触子の前記一対の可動接点の間に発生したアークを引き延ばす一対のアーク消弧用永久磁石と、を備えた接点機構である。一対の固定接触子は、可動接触子の長手方向の両端側で表裏面の一方の面に対向して配置され、可動接点に接離する固定接点を有する第１導電板部と、第１導電板部の端部から可動接触子の表裏方向に延在する導電板部と、第２導電板部から第１導電板部に対して平行に延在して可動接触子の表裏面の他方の面に対向して配置される第３導電板部と、を備えた側面から見てＣ字形状を有している。そして、一対のアーク消弧用永久磁石の中心を結ぶ線を永久磁石中心線とし、可動接触子の一対の可動接点を結ぶ線を可動接触子中心線とすると、可動接触子は、可動接触子中心線が永久磁石中心線に対して交差するように配置され、一対の固定接触子が前記可動接触子中心線に沿って配置されている。そして、一対のアーク消弧用永久磁石の互いに対向する着磁面は、アークが永久磁石中心線を超えて引き延ばされる方向となる磁極に着磁されている。
【０００９】
また、本発明の一態様に係る電磁接触器は、前述した接点機構と、接点機構の可動接触子の一対の可動接点を一対の固定接触子の固定接点に接離させる電磁石ユニットと、を備えている。
【発明の効果】
【００１０】
本発明の接点機構及びこれを使用した電磁接触器によれば、過電流耐量性能および消弧性能の向上を図りながら小型化を図ることができる。
【図面の簡単な説明】
【００１１】
【図１】本発明に係る第１実施形態に係る電磁接触器を示す分解斜視図である。
【図２】第１実施形態の電磁接触器の縦断面図である。
【図３】第１実施形態の接点収納ケースを取り除いた状態で接点機構の構造を示した斜視図である。
【図４】第１実施形態の接点機構の平面断面図である。
【図５】第１および第２主端子板による磁界の発生状態を示す模式図である。
【図６】本発明に係る第２実施形態の接点収納ケースを取り除いた状態で接点機構の構造を示した斜視図である。
【図７】第２実施形態の接点機構の平面断面図である。
【図８】本発明に係る第３実施形態の接点収納ケースを取り除いた状態で接点機構の構造を示した斜視図である。
【図９】第３実施形態の接点機構の平面断面図である。
【図１０】本発明に係る第４実施形態の接点収納ケースを取り除いた状態で接点機構の構造を示した斜視図である。
【図１１】第４実施形態の接点機構の平面断面図である。
【図１２】本発明に係る第５実施形態の接点収納ケースを取り除いた状態で接点機構の構造を示した斜視図である。
【図１３】本発明に係る第６実施形態の接点収納ケースを取り除いた状態で接点機構の構造を示した斜視図である。
【発明を実施するための形態】
【００１２】
次に、図面を参照して、本発明の第１から第６実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。また、図面相互間においても互いの寸法の関係や比率が異なる部分が含まれていることはもちろんである。
【００１３】
また、以下に示す第１〜第６実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
なお、以下の説明で記載されている「上」、「下」、「底」、「前」、「後」、「長尺方向」、「短尺方向」等の方向を示す用語は、添付図面の方向を参照して用いられている。
以下に示す第１〜第６実施形態の電磁接触器は、電流の流れ方向を限定した有極性の電磁接触器である。
【００１４】
（第１実施形態）
本発明に係る第１実施形態の電磁接触器１は、図１に示すように、接点機構２と、接点機構２を駆動する電磁石ユニット２０と、接点機構２の周囲に配置した第１，第２アーク消弧用永久磁石４０，４１と、接点機構２に固定されている第１主端子板４３Ａ及び第２主端子板４３Ｂと、を備えている。
電磁石ユニット２０は、図２に示すように、側面から見て扁平なＵ字形状の磁気ヨーク２８を有し、この磁気ヨーク２８の底板部の中央部に固定プランジャ２９が配置され、この固定プランジャ２９の外側にスプール３０が配置されている。このスプール３０に励磁コイル３４が巻装されている。
【００１５】
磁気ヨーク２８の開放端となる上端に固定した上部磁気ヨーク２１には、中央部にスプール３０の中央円筒部３１に対向する貫通孔２１ａが形成されている。スプール３０の中央円筒部３１内に挿入された固定プランジャ２９の上部には、有底筒状に形成されたキャップ３５で覆われ、このキャップ３５の開放端に半径方向外方に延長して形成されたフランジ部３５ａが上部磁気ヨーク２１の下面にシール接合されている。これによって、キャップ３５が上部磁気ヨーク２１の貫通孔２１ａを介して連通される密封容器が形成される。キャップ３５の内部には、可動プランジャ２２が上下に摺動可能に挿入される。この可動プランジャ２２には、上部磁気ヨーク２１から上方に突出する上端部に半径方向外方に突出する周鍔部２２ａが形成されている。
【００１６】
上部磁気ヨーク２１の上面には、環状に形成された駆動用永久磁石３７が可動プランジャ２２の周鍔部２２ａを囲むように固定されている。この駆動用永久磁石３７は上下方向すなわち厚み方向に例えば上端側をＮ極とし、下端側をＳ極とするように着磁されている。駆動用永久磁石３７の上端面には補助ヨーク３９が固定されており、この補助ヨーク３９の下面に、可動プランジャ２２の周鍔部２２ａが接触している。
接点機構２は、図２に示すように、ケース４に収納されている。ケース４は、金属製の角筒体５と、この角筒体５の上端を閉塞する例えばセラミックや合成樹脂材などの絶縁材料により形成した絶縁基板６とを備えている。
【００１７】
角筒体５は、下部に形成したフランジ部７が、電磁石ユニット２０の上部磁気ヨーク２１にシール接合されて固定されている。絶縁基板６には、貫通孔９，１０が所定間隔をあけて形成されている。
接点機構２は、絶縁基板６に導体部１１，１２を介して固定されている一対の固定接触子１３，１４（以下、第１固定接触子１３、第２固定接触子１４と称する）と、これら第１及び第２固定接触子１３，１４に接離可能に配置された可動接触子１５と、を備えている。
【００１８】
可動接触子１５は、図３及び図４に示すように、導電性のある材料とした直線状に長尺な導電板であり、長手方向の中央部に貫通孔２３が形成されており、長手方向の両端側の下面に、第１可動接点１５ａ及び第２可動接点１５ｂが形成されている。
可動接触子１５の貫通孔２３には、図２に示すように、電磁石ユニット２０の可動プランジャ２２に固定された連結軸２４が挿通されている。連結軸２４の長手方向の中央部には外方に突出するフランジ部２５が形成されており、このフランジ部２５が可動接触子１５の中央下部に当接している。連結軸２４の上端にはＣリング２７が固定されており、このＣリングと可動接触子１５の中央上部との間の連結軸２４の外周に接触スプリング２６が配置され、可動接触子１５に対して所定の付勢力を付与している。また、補助ヨーク３９とフランジ部２５の下部との間の連結軸２４の外周にも復帰スプリング３６が配置され、可動接触子１５に対して所定の付勢力を付与している。
ケース４の角筒体５の内周面には、有底角筒状に形成された絶縁筒部１８が配設されている。この絶縁筒部１８は、絶縁性の例えば合成樹脂を成形することによって形成され、金属製の角筒体５に対するアークの影響を遮断する絶縁機能を有する。
【００１９】
第１固定接触子１３は、図３に示すように、可動接触子１５の第１可動接点１５ａ側に配置されており、可動接触子１５の第１可動接点１５ａに下側から対向し、第１固定接点１３ａを上面に設けた第１導電板部１３ｂと、可動接触子１５から離れた第１導電板部１３ｂの端部から折り曲げられて上方に延在している第２導電板部１３ｃと、第２導電板部１３ｃの上端から折り曲げられて可動接触子１５の上方に延在している第３導電板部１３ｄと、を備えた側面から見てＣ字形状の部材である。
第２固定接触子１４は、図３に示すように、可動接触子１５の第２可動接点１５ｂ側に配置されており、可動接触子１５の第２可動接点１５ｂに下側から対向し、第２固定接点１４ａを上面に設けた第１導電板部１４ｂと、可動接触子１５から離れた第１導電板部１４ｂの端部から折り曲げられて上方に延在している第２導電板部１４ｃと、第２導電板部１４ｃの上端から折り曲げられて可動接触子１５の上方に延在している第３導電板部１４ｄと、を備えた側面から見てＣ字形状の部材である。
【００２０】
可動接触子１５は釈放状態で、長手方向の両端側に位置する可動接点１５ａ，１５ｂと、固定接触子１３，１４の固定接点１３ａ，１４ａが、所定間隔を保って離間した状態となる。
可動接触子１５の投入状態では、可動接点１５ａ，１５ｂが、固定接触子１３，１４の固定接点１３ａ，１４ａに、接触スプリング２６による所定の接触圧で接触するように設定されている。
密閉されたケース４には、アーク消弧ガスが封入されている。
【００２１】
また、図２及び図４に示すように、ケース４の角筒体５の外側には、外周全域を覆うように金属製の矩形状の磁石支持体４２が配置されており、この磁石支持体４２は、電磁接触器１に設けた保持部材（不図示）で支持されている。
第１アーク消弧用永久磁石４０は、可動接触子１５の長手方向の一方の可動接点１５ａ及び第１固定接触子１３に角筒体５及び絶縁筒部１８を介して対向するように磁石支持体４２の長手方向の一側に固定されている。この第１アーク消弧用永久磁石４０は、角筒体５に対向する磁極面がＮ極となるように着磁されている。
第２アーク消弧用永久磁石４１は、可動接触子１５の長手方向の他方の可動接点１５ｂ及び第２固定接触子１４に角筒体５及び絶縁筒部１８を介して対向するように磁石支持体４２の長手方向の他側に固定されている。この第２アーク消弧用側永久磁石４１は、角筒体５に対向する磁極面がＳ極となるように着磁されている。
【００２２】
これにより、図４に示すように、第１アーク消弧用永久磁石４０のＮ極から出て第２アーク消弧用永久磁石４１のＳ極に流れる磁束Φ１が、第１固定接触子１３の第１固定接点１３ａと、第２固定接触子１４の第２固定接点１４ａとを横切る。
ここで、図４に示すように、絶縁筒部１８の外側に配置されて磁石支持体４２に固定されている第１アーク消弧用永久磁石４０及び第２アーク消弧用永久磁石４１の中心位置を結ぶ直線を永久磁石中心線ＭＬとし、可動接触子１５の第１可動接点１５ａ及び第２可動接点１５ｂを結ぶ直線を可動接触子中心線ＫＬ１とすると、可動接触子中心線ＫＬ１が永久磁石中心線ＭＬに対して交差するように可動接触子１５が配置されている。すなわち、可動接触子１５は、平面視において長方形状の絶縁筒部１８の対角線方向に延在して配置されている。
【００２３】
第１固定接触子１３は、図４に示すように、永久磁石中心線ＭＬに対して左側に寄った位置に、第１導電板部１３ｂ及び第３導電板部１３ｄが永久磁石中心線ＭＬに沿って延在し、第２導電板部１３ｃが第１アーク消弧永久磁石４０に対向するように配置されている。第２固定接触子１４は、永久磁石中心線ＭＬに対して右側に寄った位置に、第１導電板部１４ｂ及び第３導電板部１４ｄが永久磁石中心線ＭＬに沿って延在し、第２導電板部１４ｃが第２アーク消弧永久磁石４１に対向するように配置されている。
さらに、図１に示すように、接点機構２の絶縁基板６から突出する導体部１１，１２に、第１主端子板４３Ａ及び第２主端子板４３Ｂが固定ボルト４４Ａ、４４Ｂで固定されている。
【００２４】
第１主端子板４３Ａは、中間板部４３Ａａと、この中間板部４３Ａａの左端から前方に延長している取付板部４３Ａｂと、中間板部４３Ａａの右端から前方に延長している外部接続板部４３Ａｃと、で構成されている。そして、取付板部４３Ａｂに形成した挿通孔４３Ａｂ１に挿通した固定ボルト４４Ａのねじ部を、導体部１１に形成したねじ孔にねじ込むことで、第１主端子板４３Ａが導体部１１に固定されている。
第２主端子板４３Ｂは、中間板部４３Ｂａと、この中間板部４３Ｂａの右端から後方に延長している取付板部４３Ｂｂと、中間板部４３Ｂａの左端から後方に延長している外部接続板部４３Ｂｃと、で構成されている。そして、取付板部４３Ｂｂに形成した挿通孔４３Ｂｂ１に挿通した固定ボルト４４Ｂのねじ部を、導体部１２に形成したねじ孔にねじ込むことで、第２主端子板４３Ｂが導体部１２に固定されている。
【００２５】
次に、第１実施形態の電磁接触器１の動作を説明する。
先ず、第１主端子板４３Ａの外部接続板部４３Ａｃに負荷を接続し、第２主端子板４３Ｂの外部接続板部４３Ｂｃに大電流を供給する電力供給源を接続する。
このとき、電磁石ユニット２０の励磁コイル３４は非通電状態にあって、電磁石ユニット２０で可動プランジャ２２を下降させる励磁力を発生していない釈放状態にあるものとする。
この釈放状態では、可動プランジャ２２が復帰スプリング３６によって、上部磁気ヨーク２１から離れる上方向に付勢される。これと同時に、駆動用永久磁石３７の磁力による吸引力が補助ヨーク３９に作用し、可動プランジャ２２の周鍔部２２ａが吸引される。このため、可動プランジャ２２の周鍔部２２ａの上面が補助ヨーク３９の下面に接触している。
【００２６】
このとき、可動プランジャ２２に連結軸２４を介して連結されている接点機構２の可動接触子１５の第１可動接点１５ａおよび第２可動接点１５ｂが、第１固定接触子１３の第１固定接点１３ａ、第２固定接触子１４の第２固定接点１４ａに対して上方に所定距離だけ離間している。これにより、第１固定接触子１３および第２固定接触子１４の間の電流路が遮断状態にあり、接点機構２が開極状態となっている。
この釈放状態から、電磁石ユニット２０の励磁コイル３４に通電すると、この電磁石ユニット２０で励磁力が発生し、可動プランジャ２２を復帰スプリング３６の付勢力および駆動用永久磁石３７の吸引力に抗して下方に押し下げる。この可動プランジャ２２の下降が、周鍔部２２ａの下面が上部磁気ヨーク２１の上面に当たることで停止する。
【００２７】
このように、可動プランジャ２２が下降することにより、可動プランジャ２２に連結軸２４を介して連結されている可動接触子１５も下降し、可動接触子１５の第１可動接点１５ａおよび第２可動接点１５ｂのそれぞれが、第１固定接触子１３の第１固定接点１３ａ及び第２固定接触子１４の第２固定接点１４ａのそれぞれに対して接触スプリング２６の接触圧で接触する。
このため、電力供給源の大電流が、第２主端子板４３Ｂ、第２固定接触子１４、可動接触子１５、第１固定接触子１３および第１主端子板４３Ａを通じて負荷に供給され、接点機構２が閉極状態となる。
【００２８】
この閉極状態となると、第１固定接触子１３および第２固定接触子１４と可動接触子１５とを流れる電流によって、第１固定接触子１３の第１固定接点１３ａおよび第２固定接触子１４の第２固定接点１４ａと可動接触子１５との間に、可動接触子１５を開極方向に移動させる電磁反発力が発生する。
しかしながら、可動接触子１５の第１可動接点１５ａ側を流れる電流の方向と、側面から見てＣ字形状の第１固定接触子１３の第３導電板部１３ｄを流れる電流の方向とが逆方向となり、可動接触子１５の第２可動接点１５ｂ側を流れる電流の方向と、側面から見てＣ字形状の第２固定接触子１４の第３導電板部１４ｄを流れる電流の方向とが逆方向となる。この作用により、可動接触子１５に、電磁反発力に抗するローレンツ力が発生する。
【００２９】
しかも、図５に示すように、第２主端子板４３Ｂの中間板部４３Ｂａに流れる入力側電流と、これに対向する第１主端子板４３Ａの中間板部４３Ａａに流れる出力側電流との方向が同一方向となる。これら中間板部４３Ｂａおよび４３Ａａに流れる電流の方向は、第１固定接触子１３の第３導電板部１３ｄおよび第２固定接触子１４の第３導電板部１４ｄに流れる電流の方向とも一致する。
このため、中間板部４３Ｂａおよび４３Ａａ間では、双方に流れる電流による内側の磁界が打ち消されるが、外側の磁界は互いに結合されて、図５に示すように中間板部４３Ａａおよび４３Ｂａを囲む反時計回りの共通の外部磁界ＭＦが発生する。
【００３０】
この外部磁界ＭＦは可動接触子１５を流れる電流に対して直交する方向となるとともに、可動接触子１５の板面に沿って平行となる。
したがって、フレミング左手の法則により、可動接触子１５を第１固定接触子１３の第１固定接点１３ａおよび第２固定接触子１４の第２固定接点１４ａに押し付けるローレンツ力を発生させることができる。
これにより、可動接触子１５には、第１固定接触子１３および第２固定接触子１４による電磁反発力に抗するローレンツ力に加えて、第１主端子板４３Ａおよび第２主端子板４３Ｂによる電磁反発力に抗するローレンツ力が作用するので、過電流耐量性能をより向上させることができる。
【００３１】
次に、接点機構２の閉極状態から、負荷への電流供給を遮断する場合には、電磁石ユニット２０の励磁コイル３４への通電を停止する。
励磁コイル３４への通電を停止すると、電磁石ユニット２０で可動プランジャ２２を下方に移動させる励磁力がなくなることにより、可動プランジャ２２が復帰スプリング３６の付勢力によって上昇し、周鍔部２２ａが補助ヨーク３９に近づくに従って駆動用永久磁石３７の吸引力が増加する。
この可動プランジャ２２が上昇することにより、連結軸２４を介して連結された可動接触子１５が上昇する。これに応じて接触スプリング２６で接触圧を与えているときは、可動接触子１５の第１可動接点１５ａおよび第２可動接点１５ｂのそれぞれが、第１固定接触子１３の第１固定接点１３ａおよび第２固定接触子１４の第２固定接点１４ａのそれぞれに接触している。その後、接触スプリング２６の接触圧がなくなった時点で、可動接触子１５が第１固定接触子１３および第２固定接触子１４から上方に離間する開極状態となる。
【００３２】
このような開極状態となると、可動接触子１５の第１可動接点１５ａおよび第２可動接点１５ｂと、第１固定接触子１３の第１固定接点１３ａおよび第２固定接触子１４の第２固定接点１４ａとの間にアークが発生し、アークによって電流の通電状態が継続されることになる。
図４に示すように、可動接触子１５の第１可動接点１５ａと、第１固定接触子１３の第１固定接点１３ａの間に発生したアークは、アークの電流の流れ方向と、第１アーク消弧用永久磁石４０のＮ極から出て第２アーク消弧用永久磁石４１のＳ極に流れる磁束Φ１との関係からフレミング左手の法則により発生したローレンツ力Ｆ１によって引き延ばされる。
【００３３】
可動接触子１５の第１可動接点１５ａ及び第１固定接触子１３は、永久磁石中心線ＭＬに対して左側に寄った位置に配置されているので、ローレンツ力Ｆ１によってアークが引き延ばされる方向には、大きなアーク消弧空間Ｓ１が設けられている。これにより、アークは大きなアーク消弧空間Ｓ１に向けて十分に引き延ばされて消弧されていく。
また、可動接触子１５の第２可動接点１５ｂと、第２固定接触子１４の第１固定接点１４ａの間に発生したアークは、アークの電流の流れ方向と、第１及び第２アーク消弧用永久磁石４０，４１で発生する磁束Φ１との関係からフレミング左手の法則により発生したローレンツ力Ｆ２によって引き延ばされる。そして、第２可動接点１５ｂ及び第２固定接触子１４は、永久磁石中心線ＭＬに対して右側に寄った位置に配置されているので、ローレンツ力Ｆ２によってアークが引き延ばされる方向には、大きなアーク消弧空間Ｓ２が設けられ、アークは大きなアーク消弧空間Ｓ２に向けて十分に引き延ばされて消弧されていく。
【００３４】
以上のように発生したアークは、第１及び第２アーク消弧用永久磁石４０，４１で発生する磁束Φ１との関係からフレミング左手の法則により発生するローレンツ力Ｆ１，Ｆ２によって引き延ばされるとともに、接点機構２に封入されたアーク消弧用ガスによって冷却されて消弧される。
したがって、第１実施形態の電磁接触器１によると、第１及び第２アーク消弧用永久磁石４０，４１の中心位置を結ぶ永久磁石中心線ＭＬに対して、可動接触子１５の第１可動接点１５ａ及び第２可動接点１５ｂを結ぶ可動接触子中心線ＫＬ１が交差するように可動接触子１５が配置されている。このため、可動接触子１５の第１可動接点１５ａと、第１固定接触子１３の第１固定接点１３ａの間に発生したアークは、永久磁石中心線ＭＬを超えて大きなアーク消弧空間Ｓ１に十分に引き延ばされ、可動接触子１５の第２可動接点１５ｂと、第２固定接触子１４の第１固定接点１４ａの間に発生したアークは、永久磁石中心線ＭＬを超えて大きなアーク消弧空間Ｓ２に十分に引き延ばされていくので、消弧性能を高めることができる。
【００３５】
また、発生したアークは、密閉されたケース４に封入されているアーク消弧用ガスによって冷却されるので、さらに消弧性能を高めることができる。
また、接点機構２の閉極状態で、可動接触子１５に対して、通電電流による開極方向の電磁反発力に抗するローレンツ力を、側面から見てＣ字形状の第１固定接触子１３および第２固定接触子１４によって発生することができるとともに、第１主端子板４３Ａおよび第２主端子板４３Ｂによっても発生することができる。したがって、閉極状態における可動接触子１５の開極方向への電磁反発力に抗するローレンツ力を増大させることができる。このため、電磁接触器１の過電流耐量性能をより向上させることが可能となる。
さらに、第１実施形態は、接点機構２の周囲に一対の第１，第２アーク消弧用永久磁石４０，４１を配置して有極性の電磁接触器１としたので、装置の小型化を図ることができる。
【００３６】
（第２実施形態）
次に、図６及び図７は、本発明に係る電磁接触器を構成する第２実施形態の接点機構２の内部を示すものである。なお、図１から図５で示した構成と同一構成部分は、同一符号を付して説明は省略する。
第２実施形態の接点機構２は、第１固定接触子１３及び第２固定接触子１４と、第１及び第２固定接触子１３，１４に接離可能に配置された可動接触子５０と、を備えている。
可動接触子５０は、図７に示すように、導電性の長尺板材であり、長手方向の中央部に貫通孔２３が形成されている中間板部５０ａと、中間板部５０ａの長手方向の一端から中間板部５０ａに対して直交して延在している第１直交板部５０ｂと、中間板部５０ａの長手方向の他端から第１直交板部５０ｂに対して逆側の方向に中間板部５０ａに対して直交して延在している第２直交板部５０ｃと、を備えている。
【００３７】
第１直交板部５０ｂの先端側の下面には第１可動接点５１ａが形成されており、第２直交板部５０ｃの先端側の下面には第２可動接点５１ｂが形成されている。
第１固定接触子１３は、図７に示すように、永久磁石中心線ＭＬ（第１アーク消弧用永久磁石４０及び第２アーク消弧用永久磁石４１の中心位置を結ぶ直線）に対して左側に寄った位置に、第１導電板部１３ｂ及び第３導電板部１３ｄが永久磁石中心線ＭＬに沿って延在し、第２導電板部１３ｃが第１アーク消弧永久磁石４０に対向するように配置されている。
【００３８】
第２固定接触子１４は、永久磁石中心線ＭＬに対して右側に寄った位置に、第１導電板部１４ｂ及び第３導電板部１４ｄが永久磁石中心線ＭＬに沿って延在し、第２導電板部１４ｃが第２アーク消弧永久磁石４１に対向するように配置されている。
可動接触子５０は、中間板部５０ａの貫通孔２３に電磁石ユニット２０の可動プランジャ２２に固定された連結軸２４が挿通されている。
そして、可動接触子５０は、中間板部５０ａが永久磁石中心線ＭＬに直交する方向に延在し、第１直交板部５０ｂおよび第２直交板部５０ｃが永久磁石中心線ＭＬに沿う方向に延在して配置されている。
【００３９】
これにより、可動接触子５０の第１可動接点５１ａ及び第２可動接点５１ｂを結ぶ直線を可動接触子中心線ＫＬ２とすると、可動接触子中心線ＫＬ２が永久磁石中心線ＭＬに対して交差するように可動接触子５０が配置されている。
第２実施形態の電磁接触器１によると、接点機構２が閉極状態となると、第１固定接触子１３および第２固定接触子１４と可動接触子１５とを流れる電流によって、第１固定接触子１３の第１固定接点１３ａおよび第２固定接触子１４の第２固定接点１４ａと可動接触子５０との間に、可動接触子１５を開極方向に移動させる電磁反発力が発生する。
【００４０】
ここで、第２実施形態の可動接触子５０は、第１可動接点５１ａを形成している第１直交板部５０ｂと、第１固定接触子１３の第３導電板部１３ｄとが永久磁石中心線ＭＬに沿って平行に延在し、第２可動接点５１ｂを形成している第２直交板部５０ｃと、第２固定接触子１４の第３導電板部１４ｄとが永久磁石中心線ＭＬに沿って平行に延在している。このため、互いに平行に延在する第１直交板部５０ｂを流れる電流の方向と第１固定接触子１３の第３導電板部１３ｄを流れる電流の方向とが逆方向となり、互いに平行に延在する第２直交板部５０ｃと第２固定接触子１４の第３導電板部１４ｄを流れる電流の方向とが逆方向となり、可動接触子５０に対して電磁反発力に抗する大きなローレンツ力が発生する。
【００４１】
したがって、第２実施形態の電磁接触器１は、接点機構２が閉極状態となるときに、可動接触子５０には第１固定接触子１３および第２固定接触子１４による電磁反発力に抗する大きなローレンツ力が作用するので、過電流耐量性能をより向上させることができる。
一方、接点機構２が開極状態となると、可動接触子５０の第１可動接点５１ａおよび第２可動接点５１ｂと、第１固定接触子１３の第１固定接点１３ａおよび第２固定接触子１４の第２固定接点１４ａとの間にアークが発生し、アークによって電流の通電状態が継続される。
【００４２】
図７に示すように、可動接触子５０の第１可動接点５１ａと、第１固定接触子１３の第１固定接点１３ａの間に発生したアークは、アークの電流の流れ方向と、第１アーク消弧用永久磁石４０のＮ極から出て第２アーク消弧用永久磁石４１のＳ極に流れる磁束Φ１との関係からフレミング左手の法則により発生したローレンツ力Ｆ１によって引き延ばされる。
可動接触子５０の第１可動接点５１ａ及び第１固定接触子１３は、永久磁石中心線ＭＬに対して左側に寄った位置に配置されているので、ローレンツ力Ｆ１によってアークが引き延ばされる方向には、大きなアーク消弧空間Ｓ１が設けられている。これにより、アークは大きなアーク消弧空間Ｓ１に向けて十分に引き延ばされて消弧されていく。
【００４３】
また、可動接触子５０の第２可動接点５１ｂと、第２固定接触子１４の第１固定接点１４ａの間に発生したアークは、アークの電流の流れ方向と、第１及び第２アーク消弧用永久磁石４０，４１で発生する磁束Φ１との関係からフレミング左手の法則により発生したローレンツ力Ｆ２によって引き延ばされる。そして、第２可動接点５１ｂ及び第２固定接触子１４は、永久磁石中心線ＭＬに対して右側に寄った位置に配置されているので、ローレンツ力Ｆ２によってアークが引き延ばされる方向には、大きなアーク消弧空間Ｓ２が設けられ、アークは大きなアーク消弧空間Ｓ２に向けて十分に引き延ばされて消弧されていく。
【００４４】
したがって、可動接触子５０の第１可動接点５１ａと、第１固定接触子１３の第１固定接点１３ａの間に発生したアークは、永久磁石中心線ＭＬを超えて大きなアーク消弧空間Ｓ１に十分に引き延ばされ、可動接触子５０の第２可動接点５１ｂと、第２固定接触子１４の第１固定接点１４ａの間に発生したアークも、永久磁石中心線ＭＬを超えて大きなアーク消弧空間Ｓ２に十分に引き延ばされていくので、消弧性能を高めることができる。
【００４５】
（第３実施形態）
次に、図８及び図９は、本発明に係る電磁接触器を構成する第３実施形態の接点機構２の内部を示すものである。なお、図１から図５で示した構成と同一構成部分は、同一符号を付して説明は省略する。
第３実施形態の接点機構２は、第１実施形態と同様に、永久磁石中心線ＭＬに対して左側に寄った位置に配置されている第１固定接触子１３と、永久磁石中心線ＭＬに対して右側に寄った位置に配置されている第２固定接触子１４と、第１及び第２固定接触子１３，１４に接離可能に配置された可動接触子１５と、を備えている。
【００４６】
そして、第１実施形態と同様に可動接触子１５は、可動接触子１５の第１可動接点１５ａ及び第２可動接点１５ｂを結ぶ直線を可動接触子中心線ＫＬ１が永久磁石中心線ＭＬに対して交差するように配置されている。
ここで、第３実施形態の第１固定接触子１３は、図９に示すように、第１固定接点１３ａを上面に設けた第１導電板部１３ｂと、第１導電板部１３ｂの上方において平行な第３導電板部１３ｄとが、永久磁石中心線ＭＬに対して直交する方向に延在し、第１導電板部１３ｂ及び第３導電板部１３ｄの間の開口部が右側を向くように配置され、永久磁石中心線ＭＬに沿う方向から見てＣ字形状となるように配置されている。
【００４７】
また、第３実施形態の第２固定接触子１４も、第１可動接点１４ａを上面に設けた第１導電板部１４ｂと、第１導電板部１４ｂの上方において平行に延在する第３導電板部１４ｄとが、永久磁石中心線ＭＬに対して直交する方向に延在し、第１導電板部１４ｂ及び第３導電板部１４ｄの間の開口部が左側を向くように配置され、永久磁石中心線ＭＬに沿う方向から見てＣ字形状となるように配置されている。
第３実施形態の電磁接触器１によると、接点機構２が開極状態となると、可動接触子１５の第１可動接点１５ａおよび第２可動接点１５ｂと、第１固定接触子１３の第１固定接点１３ａおよび第２固定接触子１４の第２固定接点１４ａとの間にアークが発生し、アークによって電流の通電状態が継続される。
【００４８】
可動接触子１５の第１可動接点１５ａと、第１固定接触子１３の第１固定接点１３ａの間に発生したアークは、アークの電流の流れ方向と、第１アーク消弧用永久磁石４０のＮ極から出て第２アーク消弧用永久磁石４１のＳ極に流れる磁束Φ１との関係からフレミング左手の法則により発生したローレンツ力Ｆ１によって引き延ばされる。
このとき、図９に示すように、第１固定接触子１３は、永久磁石中心線ＭＬに沿う方向から見てＣ字形状となるように配置されており、第１固定接触子１３の第２導電板部１３ｃは、第１アーク消弧用永久磁石４０を遮る位置には配置されていない。したがって、第１可動接点１５ａ及び第１固定接点１３ａの間に発生したアークを第１アーク消弧用永久磁石４０に近づけることができ、アークに対して大きなローレンツ力Ｆ１を作用することができる。
【００４９】
また、可動接触子１５の第２可動接点１５ｂと、第２固定接触子１４の第１固定接点１４ａの間に発生したアークは、アークの電流の流れ方向と、第１及び第２アーク消弧用永久磁石４０，４１で発生する磁束Φ１との関係からフレミング左手の法則により発生したローレンツ力Ｆ２によって引き延ばされる。
このとき、第２固定接触子１４は、永久磁石中心線ＭＬに沿う方向から見てＣ字形状となるように配置されており、第２固定接触子１４の第２導電板部１４ｃは、第２アーク消弧用永久磁石４１を遮る位置には配置されていない。したがって、第２可動接点１５ｂ及び第２固定接点１４ａの間に発生したアークを第２アーク消弧用永久磁石４１に近づけることができ、アークに対して大きなローレンツ力Ｆ２を作用することができる。
【００５０】
したがって、可動接触子１５の第１可動接点１５ａおよび第１固定接触子１３の第１固定接点１３ａの間に発生したアークと、可動接触子１５の第２可動接点１５ｂと、第２固定接触子１４の第１固定接点１４ａの間に発生したアークに大きなローレンツ力Ｆ１、Ｆ２が作用するので、永久磁石中心線ＭＬを超えてアーク消弧空間Ｓ１，Ｓ２に十分に引き延ばされていき、消弧性能を高めることができる。
【００５１】
（第４実施形態）
次に、図１０及び図１１は、本発明に係る電磁接触器を構成する第４実施形態の接点機構２の内部を示すものである。なお、図１から図５で示した構成と同一構成部分は、同一符号を付して説明は省略する。
第４実施形態の接点機構２は、第１固定接触子１３及び第２固定接触子１４の配置を、第３実施形態と同様の配置としている。また、第１及び第２固定接触子１３，１４に接離可能に可動接触子５２が配置されている。
【００５２】
第３実施形態の第１固定接触子１３は、第１固定接点１３ａを上面に設けた第１導電板部１３ｂと、第１導電板部１３ｂの上方において平行な第３導電板部１３ｄとが、永久磁石中心線ＭＬに対して直交する方向に延在し、第１導電板部１３ｂ及び第３導電板部１３ｄの間の開口部が図１１の右側を向くように配置され、永久磁石中心線ＭＬに沿う方向から見てＣ字形状となるように配置されている。
また、第２固定接触子１４は、第１可動接点１４ａを上面に設けた第１導電板部１４ｂと、第１導電板部１４ｂの上方において平行に延在する第３導電板部１４ｄとが、永久磁石中心線ＭＬに対して直交する方向に延在し、第１導電板部１４ｂ及び第３導電板部１４ｄの間の開口部が図１１の左側を向くように配置され、永久磁石中心線ＭＬに沿う方向から見てＣ字形状となるように配置されている。
【００５３】
第４実施形態の可動接触子５２は、図１１に示すように、導電性の長尺板材であり、長手方向の中央部に貫通孔２３が形成されている中間板部５２ａと、中間板部５２ａの長手方向の一端から中間板部５２ａに対して直交して延在している第１直交板部５２ｂと、中間板部５２ａの長手方向の他端から第１直交板部５２ｂに対して逆側の方向に中間板部５２ａに対して直交して延在している第２直交板部５２ｃと、を備えている。
第１直交板部５２ｂの先端側の下面には第１可動接点５３ａが形成されており、第２直交板部５２ｃの先端側の下面には第２可動接点５３ｂが形成されている。
【００５４】
可動接触子５２は、中間板部５２ａの貫通孔２３に電磁石ユニット２０の可動プランジャ２２に固定された連結軸２４が挿通されている。
そして、可動接触子５２は、中間板部５２ａが永久磁石中心線ＭＬに沿って延在し、第１直交板部５２ｂおよび第２直交板部５２ｃが永久磁石中心線ＭＬに直交する方向に延在して配置されている。
これにより、可動接触子５２の第１可動接点５３ａ及び第２可動接点５３ｂを結ぶ直線を可動接触子中心線ＫＬ３とすると、可動接触子中心線ＫＬ３が永久磁石中心線ＭＬに対して交差するように可動接触子５２が配置されている。
【００５５】
第４実施形態の電磁接触器１によると、接点機構２が閉極状態となると、第１固定接触子１３および第２固定接触子１４と可動接触子５２とを流れる電流によって、第１固定接触子１３の第１固定接点１３ａおよび第２固定接触子１４の第２固定接点１４ａと可動接触子５２との間に、可動接触子１５を開極方向に移動させる電磁反発力が発生する。
第４実施形態の可動接触子５２は、第１可動接点５３ａを形成している第１直交板部５２ｂと、第１固定接触子１３の第３導電板部１３ｄとが永久磁石中心線ＭＬに直交する方向に平行に延在し、第２可動接点５３ｂを形成している第２直交板部５２ｃと、第２固定接触子１４の第３導電板部１４ｄとが永久磁石中心線ＭＬに直交する方向に平行に延在している。このため、互いに平行に延在する第１直交板部５２ｂを流れる電流の方向と第１固定接触子１３の第３導電板部１３ｄを流れる電流の方向とが逆方向となり、互いに平行に延在する第２直交板部５２ｃと第２固定接触子１４の第３導電板部１４ｄを流れる電流の方向とが逆方向となり、可動接触子５２に対して電磁反発力に抗する大きなローレンツ力が発生する。
【００５６】
したがって、第４実施形態の電磁接触器１は、接点機構２が閉極状態となるときに、可動接触子５２には第１固定接触子１３および第２固定接触子１４による電磁反発力に抗する大きなローレンツ力が作用するので、過電流耐量性能をより向上させることができる。
また、接点機構２が開極状態となると、可動接触子５２の第１可動接点５３ａおよび第２可動接点５３ｂと、第１固定接触子１３の第１固定接点１３ａおよび第２固定接触子１４の第２固定接点１４ａとの間にアークが発生し、アークによって電流の通電状態が継続される。
【００５７】
可動接触子１５の第１可動接点１５ａと、第１固定接触子１３の第１固定接点１３ａの間に発生したアークは、アークの電流の流れ方向と、第１アーク消弧用永久磁石４０のＮ極から出て第２アーク消弧用永久磁石４１のＳ極に流れる磁束Φ１との関係からフレミング左手の法則により発生したローレンツ力Ｆ１によって引き延ばされる。
このとき、図１１に示すように、第１固定接触子１３は、永久磁石中心線ＭＬに沿う方向から見てＣ字形状となるように配置されており、第１固定接触子１３の第２導電板部１３ｃは、第１アーク消弧用永久磁石４０を遮る位置には配置されていない。このため、第１可動接点１５ａ及び第１固定接点１３ａの間に発生したアークを第１アーク消弧用永久磁石４０に近づけることができ、アークに対して大きなローレンツ力Ｆ１を作用することができる。
【００５８】
また、可動接触子５２の第２可動接点５３ｂと、第２固定接触子１４の第１固定接点１４ａの間に発生したアークは、アークの電流の流れ方向と、第１及び第２アーク消弧用永久磁石４０，４１で発生する磁束Φ１との関係からフレミング左手の法則により発生したローレンツ力Ｆ２によって引き延ばされる。
このとき、第２固定接触子１４は、永久磁石中心線ＭＬに沿う方向から見てＣ字形状となるように配置されており、第２固定接触子１４の第２導電板部１４ｃは、第２アーク消弧用永久磁石４１を遮る位置には配置されていない。したがって、第２可動接点１５ｂ及び第２固定接点１４ａの間に発生したアークを第２アーク消弧用永久磁石４１に近づけることができ、アークに対して大きなローレンツ力Ｆ２を作用することができる。
【００５９】
したがって、第４実施形態の電磁接触器１は、可動接触子５２の第１可動接点５３ａおよび第１固定接触子１３の第１固定接点１３ａの間に発生したアークと、可動接触子５２の第２可動接点５３ｂと、第２固定接触子１４の第１固定接点１４ａの間に発生したアークに大きなローレンツ力Ｆ１、Ｆ２が作用するので、永久磁石中心線ＭＬを超えてアーク消弧空間Ｓ１，Ｓ２に十分に引き延ばされていき、消弧性能を高めることができる。
【００６０】
（第５，６実施形態）
次に、図１２は、本発明に係る電磁接触器を構成する第５実施形態の接点機構２の内部を示すものである。なお、図１２及び図１３において、図１から図５で示した構成と同一構成部分は同一符号を付して説明は省略する。
この第５実施形態は、図８及び図９で示した第３実施形態の第１固定接触子１３及び第２固定接触子１４を変形した構造である。
第５実施形態の第１固定接触子１３は、第１固定接点１３ａを上面に設けた第１導電板部１３ｂの端部から折り曲げられ下方に延在するアークランナー１３ｅが形成されている。このアークランナー１３ｅの下端は、図１２では示していないが、電磁石ユニット２０の上部磁気ヨーク２１を覆っている絶縁筒部１８（図２参照）の底部に向けて延在している。
【００６１】
第５実施形態の第２固定接触子１４も、第２固定接点１４ａを上面に設けた第１導電板部１４ｂの端部から折り曲げられ下方に延在するアークランナー１４ｅが形成されている。このアークランナー１４ｅの下端も、絶縁筒部１８の底部に向けて延在している。
第５実施形態の電磁接触器１によると、接点機構２が開極状態となると、可動接触子１５の第１可動接点１５ａおよび第２可動接点１５ｂと、第１固定接触子１３の第１固定接点１３ａおよび第２固定接触子１４の第２固定接点１４ａとの間にアークが発生し、アークによって電流の通電状態が継続される。
【００６２】
第１固定接点１３ａで発生したアークは、第１導電板部１３ｂからアークランナー１３ｅに移動し、絶縁筒部１８の底部に誘導されていく。また、第２固定接点１４ａで発生したアークも、第１導電板部１４ｂからアークランナー１４ｅに移動し、絶縁筒部１８の底部に誘導されていく。このように、第１固定接点１３ａおよび第２固定接点１４ａで発生したアークは引き延ばされていくので、分断・冷却されやすくなる。
したがって、第５実施形態の電磁接触器１は、可動接触子１５の第１可動接点１５ａおよび第１固定接触子１３の第１固定接点１３ａの間に発生したアークと、可動接触子１５の第２可動接点１５ｂと、第２固定接触子１４の第１固定接点１４ａの間に発生したアークに大きなローレンツ力Ｆ１、Ｆ２が作用するので、永久磁石中心線ＭＬを超えてアーク消弧空間Ｓ１，Ｓ２に十分に引き延ばされていくとともに、第１固定接触子１３にアークランナー１３ｅを設け、第２固定接触子１４にアークランナー１４ｅを設けてアークを絶縁筒部１８の底部に誘導することで、消弧性能をさらに高めることができる。
【００６３】
さらに、図１３は、本発明に係る電磁接触器を構成する第６実施形態の接点機構２の内部を示すものである。
この第６実施形態は、図１０及び図１１で示した第４実施形態の接点機構２に、図１２で示したアークランナー１３ｅを備えた第１固定接触子１３と、アークランナー１４ｅを備えた第２固定接触子１４とを使用したものである。
第６実施形態の電磁接触器１によると、接点機構２が開極状態となると、可動接触子５２の第１可動接点５３ａおよび第２可動接点５３ｂと、第１固定接触子１３の第１固定接点１３ａおよび第２固定接触子１４の第２固定接点１４ａとの間にアークが発生し、アークによって電流の通電状態が継続される。
【００６４】
第１固定接点１３ａで発生したアークは、第１導電板部１３ｂからアークランナー１３ｅに移動し、絶縁筒部１８の底部に誘導されていく。また、第２固定接点１４ａで発生したアークも、第１導電板部１４ｂからアークランナー１４ｅに移動し、絶縁筒部１８の底部に誘導されていく。このように、第１固定接点１３ａおよび第２固定接点１４ａで発生したアークは引き延ばされていくので、分断・冷却されやすくなる。
したがって、第６実施形態の電磁接触器１も、可動接触子５２の第１可動接点５３ａおよび第１固定接触子１３の第１固定接点１３ａの間に発生したアークと、可動接触子５２の第２可動接点５３ｂと、第２固定接触子１４の第１固定接点１４ａの間に発生したアークに大きなローレンツ力Ｆ１、Ｆ２が作用するので、永久磁石中心線ＭＬを超えてアーク消弧空間Ｓ１，Ｓ２に十分に引き延ばされていくとともに、第１固定接触子１３にアークランナー１３ｅを設け、第２固定接触子１４にアークランナー１４ｅを設けてアークを絶縁筒部１８の底部に誘導することで、消弧性能をさらに高めることができる。
【００６５】
なお、本発明に記載されている接点収納ケースが、絶縁基板６および絶縁筒部１８に対応し、本発明に記載されている第１可動接点部が、第２実施形態の第１直交板部５０ｂと第４実施形態の第１直交板部５２ｂに対応し、本発明に記載されている第２可動接点部が、第２実施形態の第２直交板部５０ｃと第４実施形態の第２直交板部５２ｃに対応している。また、本発明に記載されている対向板部が、第１主端子板４３Ａの中間板部４３Ａａおよび第２主端子板４３Ｂの中間板部４３Ｂａに対応している。さらに、本発明に記載されている一対の突出部が、導体部１１，１２に対応している。
【符号の説明】
【００６６】
１  電磁接触器
２  接点機構
４  ケース
５  角筒体
６  絶縁基板
７  フランジ部
９，１０  貫通孔
１１，１２  導体部
１３  第１固定接触子
１３ａ  第１固定接点
１３ｂ  第１導電板部
１３ｃ  第２導電板部
１３ｄ  第３導電板部
１３ｅ  アークランナー
１４  第２固定接触子
１４ａ  第２固定接点
１４ｂ  第１導電板部
１４ｃ  第２導電板部
１４ｄ  第３導電板部
１４ｅ  アークランナー
１５  可動接触子
１５ａ  第１可動接点
１５ｂ  第２可動接点
１８  絶縁筒部
２０  電磁石ユニット
２１  上部磁気ヨーク
２１ａ  貫通孔
２２  可動プランジャ
２２ａ  周鍔部
２３  貫通孔
２４  連結軸
２５  フランジ部
２６  接触スプリング
２７  Ｃリング
２８  磁気ヨーク
２９  固定プランジャ
３０  スプール
３１  中央円筒部
３４  励磁コイル
３５  キャップ
３５ａ  フランジ部
３６  復帰スプリング
３７  駆動用永久磁石
３９  補助ヨーク
４０  第１アーク消弧用永久磁石
４１  第２アーク消弧用永久磁石
４２  磁石支持体
４３Ａ  第１主端子板
４３Ａａ  中間板部
４３Ａｂ  取付板部
４３Ａｃ  外部接続板部
４３Ａｂ１  挿通孔
４３Ｂ  第２主端子板
４３Ｂａ  中間板部
４３Ｂｂ  取付板部
４３Ｂｃ  外部接続板部
４３Ｂｂ１  挿通孔
４４Ａ、４４Ｂ  固定ボルト
５０  可動接触子
５０ａ  中間板部
５０ｂ  第１直交板部
５０ｃ  第２直交板部
５１ａ  第１可動接点
５１ｂ  第２可動接点
５２  可動接触子
５２ａ  中間板部
５２ｂ  第１直交板部
５２ｃ  第２直交板部
５３ａ  第１可動接点
５３ｂ  第２可動接点
ＫＬ１，ＫＬ２、ＫＬ３  可動接触子中心線
ＭＬ  永久磁石中心線
ＭＦ  共通磁界
Φ１  磁束
【図１】
2020047389.tif 000003
【図２】
2020047389.tif 000004
【図３】
2020047389.tif 000005
【図４】
2020047389.tif 000006
【図５】
2020047389.tif 000007
【図６】
2020047389.tif 000008
【図７】
2020047389.tif 000009
【図８】
2020047389.tif 000010
【図９】
2020047389.tif 000011
【図１０】
2020047389.tif 000012
【図１１】
2020047389.tif 000013
【図１２】
2020047389.tif 000014
【図１３】
2020047389.tif 000015